(57)【要約】【課題】グローブにおける蛍光ランプの投影部と外郭部との輝度の差をなくしてグローブの外観を改善することのできる照明器具を提供する。【解決手段】蛍光ランプ２０の最外部２０１に向かうにつれてグローブ１３と蛍光ランプ２０との距離Ｌを増すことにより、グローブ１３に投影される蛍光ランプ２０の輝度を徐々に低減させるので、蛍光ランプ２０が投影されないグローブ１３の外郭部１３１と蛍光ランプ２０が投影される部分１３２との輝度差を低減することができる。これにより、照明器具１０の外郭部１３１における光の落ち込みを防ぎ、点灯時のグローブ１３の外観を向上させることができる。【選択図】図１
2010129218.tif 000002
【特許請求の範囲】
【請求項１】
管中央部を中心として渦巻状に旋回し且つ管中央部に向かうにつれて高くなる発光管を有する蛍光ランプと、
前記蛍光ランプの照射面側を覆うグローブと、を有する照明器具であって、
前記グローブは、その内面と前記発光管との距離が前記蛍光ランプの最外部に向かうにつれて大きくなるように形成されていることを特徴とする照明器具。
【請求項２】
前記グローブは、前記蛍光ランプに対面する領域の内面に光拡散手段を設けたことを特徴とする請求項１記載の照明器具。
【発明の詳細な説明】
【技術分野】
【０００１】
本発明は、管中央部を中心として渦巻状に旋回し且つ管中央部に向かうにつれて高くなる発光管を有する蛍光ランプを用いた照明器具に関するものである。
【背景技術】
【０００２】
従来より、管中央部を中心として渦巻状に旋回した発光管を有する蛍光ランプを用いた照明器具が提案されている（例えば特許文献１参照）。
図５に示すように、特許文献１に記載の照明器具１００は、箱型に形成される器具本体１０１と、この器具本体１０１内に収納される点灯装置１０２および電源接続部（図示省略）と、器具本体１０１の外面に形成される平坦な反射面１０３に装着される蛍光ランプ１０４と、この蛍光ランプ１０４と器具本体１０１を覆うグローブ１０５とを有している。
そして、点灯装置１０２及び電源接続部を、器具本体１０１の反射面１０３に対して形成される蛍光ランプ１０４の投影面と略一致する領域内に配置した。
【０００３】
これにより、照明器具１００全体をコンパクトに形成しながらも、輝度むらを生じることなく、十分な明るさの確保を図っている。
【特許文献１】特開２００８−２０４７３６号公報（第１図）
【発明の開示】
【発明が解決しようとする課題】
【０００４】
しかしながら、前述した特許文献１に記載の照明器具１００においては、グローブ１０５において蛍光ランプ１０４が投影される部分と、グローブ１０５の外郭部との輝度の差が大きいため、グローブ１０５の外観がよくないという問題があった。
【０００５】
本発明は、従来の問題を解決するためになされたもので、グローブにおける蛍光ランプの投影部と外郭部との輝度の差をなくしてグローブの外観を改善することのできる照明器具を提供することを目的とする。
【課題を解決するための手段】
【０００６】
本発明の照明器具は、管中央部を中心として渦巻状に旋回し且つ管中央部に向かうにつれて高くなる発光管を有する蛍光ランプと、前記蛍光ランプの照射面側を覆うグローブと、を有する照明器具であって、前記グローブは、その内面と前記発光管との距離が前記蛍光ランプの最外部に向かうにつれて大きくなるように形成された構成を有している。
【０００７】
この構成により、蛍光ランプの最外部に向かうにつれてグローブと蛍光ランプとの距離を増すことにより、グローブに投影される蛍光ランプの輝度を徐々に低減させるので、蛍光ランプが投影されないグローブ外郭部と蛍光ランプが投影される部分との輝度差を低減することができる。これにより、照明器具の外郭部における光の落ち込みを防ぎ、点灯時のグローブの外観を向上させることができる。
【０００８】
また、本発明の照明器具は、前記グローブは、前記蛍光ランプに対面する領域の内面に光拡散手段を設けた構成を有している。
【０００９】
この構成により、グローブ内面の蛍光ランプ投影面において光を拡散するので、蛍光ランプの外側においてグローブ面の光の落ち込み度合いを相対的に小さくすることができ、点灯時のグローブの外観を向上させることができる。
【発明の効果】
【００１０】
本発明は、蛍光ランプの最外部に向かうにつれてグローブと蛍光ランプとの距離を増すことにより、グローブに投影される蛍光ランプの輝度を徐々に低減させるので、蛍光ランプが投影されないグローブ外郭部と蛍光ランプが投影される部分との輝度差を低減することができる。これにより、照明器具の外郭部における光の落ち込みを防ぎ、点灯時のグローブの外観を向上させることができるという効果を有する照明器具を提供することができるものである。
【発明を実施するための最良の形態】
【００１１】
以下、本発明の実施の形態の照明器具について、図面を用いて説明する。
図１は本発明の実施形態にかかる照明器具の断面図、図２は図１の変形例を示す断面図、図３は反射板の凹面部の説明図、図４は図３の変形例を示す説明図である。
【００１２】
図１に示すように、本発明にかかる照明器具１０は、被取付部としての例えば天井１１に取り付けられる円板状の器具本体１２を構成し、器具本体１２に光源である蛍光ランプ２０が装着される。器具本体１２には、器具本体１２および蛍光ランプ２０の照射面側を覆うグローブ１３が着脱可能に取り付けられる。また、器具本体１２の下面には、蛍光ランプ２０の光を照射方向へ反射するために白色等の光を反射する色に塗装やめっきされた反射板３０が設けられている。
【００１３】
蛍光ランプ２０は、一連の屈曲ガラス管からなる発光管２１が、管中央部２１１を中心として略一平面上で渦巻状に旋回された二重渦巻き形状となっており、且つ管中央部２１１に向かうにつれて発光管２１が高くなる。すなわち、管中央部２１１から外周部に向かって低くなるような山型を呈している。
【００１４】
発光管２１とグローブ１３の内面との間の距離Ｌは、らせんの１周目である管中央部２１１においてＬ１、らせんの２周目とグローブ１３との間の距離はＬ２、らせんのＮ周目とグローブ１３との距離はＬＮとなっており、蛍光ランプ２０の最外部に向かうにつれて大きくなるように形成されている。すなわち、Ｌ１＜Ｌ２＜…＜ＬＮとなっている。
【００１５】
発光管２１の両端部には口金２２が設けられており、口金２２には上下一対のランプピン２３，２３が、突出して設けられている。このランプピン２３を器具本体１２に取付けられているランプソケット（図示省略）に装着することにより、駆動電力を得ることができる。両口金２２、２２間には、発光管２１を保持するブリッジ２４が設けられている。
【００１６】
このようならせん形の蛍光ランプ２０は面状に発光するので、一重あるいは二重の環状の蛍光ランプと比較して中央部まで一様な光を得ることができる。また、同じ長さの発光管を有する環状の蛍光ランプと比較して、小型化を図ることができる。
【００１７】
図１に示すように、グローブ１３は透明または半透明の樹脂製であり、下面の主要部１３３と、主要部１３３の周囲から立ち上がる外周部１３４とを有している。主要部１３３は、蛍光ランプ２０に対面する領域の投影部１３２と、投影部１３２の外側の領域である外郭部１３１からなる。また、外周部１３４は、外郭部１３１の最外縁から器具本体１２に向けて立ち上がて形成されている。
【００１８】
なお、図２に示すように、グローブ１３における投影部１３２の内面には、光拡散手段１４を設けて蛍光ランプ２０の外周面よりも拡散性を向上させるのが望ましい。
光拡散手段１４としては、シルク印刷、プリズム加工、拡散シートの貼付け等を用いることができる。
【００１９】
これにより、グローブ１３内面の蛍光ランプ２０の投影部１３２において光を拡散するので、蛍光ランプ２０の外側においてグローブ面の光の落ち込み度合いを相対的に小さくすることができ、点灯時のグローブの外観を向上させることができる。
【００２０】
図１に示すように、反射板３０は、蛍光ランプ２０に対面する平板状の一般部３１と、蛍光ランプ２０の最外部２０１の外側に位置する凹面部３２とを有している。
図３に示すように、凹面部３２は、蛍光ランプ２０の最外部２０１から外側の範囲において、凹面部３２による反射光Ｒ１〜ＲＮのグローブ１３への入射角θ１〜θＮが略一定角度となるように形成されている。すなわち、θ１≒θ２≒θ３≒θ４≒…≒θＮである。
ここで、グローブ１３への入射角θとは、入射する反射光Ｒとグローブ１３内面の入射点における法線との角度をいう。
【００２１】
なお、図４に示すように、反射板３０の凹面部３２の最外周の下端部３２１が、蛍光ランプ２０の最外部２０１の中心と、グローブ１３の外周部１３４の上端１３５とを結ぶ線Ｓと同じもしくは上方に位置するのが望ましい。
【００２２】
これにより、反射板３０の凹面部３２の下端部３２１が、グローブ１３の外周部１３４に投光される光を遮るのを防止することができるので、グローブ１３の外周部１３４における光の落ち込みを防止して、グローブ１３の外観を向上させることができる。
【００２３】
以上、説明した実施形態にかかる照明器具１０によれば、蛍光ランプ２０の最外部２０１に向かうにつれてグローブ１３と蛍光ランプ２０との距離Ｌを増すことにより、グローブ１３に投影される蛍光ランプ２０の輝度を徐々に低減させることになる。
このため、蛍光ランプ２０が投影されないグローブ１３の外郭部１３１と蛍光ランプ２０が投影される投影部１３２との輝度差を低減することができる。これにより、照明器具１０の外郭部１３１における光の落ち込みを防ぎ、点灯時のグローブ１３の外観を向上させることができる。
【００２４】
また、蛍光ランプ２０の最外部２０１より外側に位置する反射板３０の領域に凹面部３２を形成して、蛍光ランプ２０の最外部２０１から外側の範囲においてグローブ１３内面に入射する反射光Ｒの入射角θが略一定となるようにしたので、反射光Ｒのグローブ１３に対する透過および反射を一定にし、グローブ１３の外郭部１３１と投影部１３２との差を低減することができる。これにより、グローブ１３の外郭部１３１における光の落ち込みを防止して、グローブ１３の外観を向上させることができる。
【００２５】
なお、本発明の照明器具は、前述した実施形態に限定されるものでなく、適宜な変形，改良等が可能である。
【図面の簡単な説明】
【００２６】
【図１】本発明の実施形態にかかる照明器具の断面図
【図２】図１の変形例を示す断面図
【図３】反射板の凹面部の説明図
【図４】図３の変形例を示す説明図
【図５】従来の照明器具の要部断面図
【符号の説明】
【００２７】
１０  照明器具
１３  グローブ
１３２  投影部（対面する領域）
１４  光拡散手段
２０  蛍光ランプ
２０１  最外部
２１  発光管
２１１  管中央部
Ｌ  距離
【図１】
2010129218.tif 000003
【図２】
2010129218.tif 000004
【図３】
2010129218.tif 000005
【図４】
2010129218.tif 000006
【図５】
2010129218.tif 000007